(57)【要約】【課題】光源から出射された光がビームスプリッタを透過する際に光源から出射された光に発生する収差を有効に低減させることができ、光学素子を光ピックアップ装置の本体に簡便かつ適切に設置することができる光ピックアップ装置およびこれに用いる光学素子を提供すること。【解決手段】収差発生光学面６および対向光学面５が、第１の光源１０から出射された光の中心である光線光軸７との交点における光線光軸７とのなす角度が９０°となるような形状に形成され、収差発生光学面６によって発生する収差が、第１の光源１０から出射された光がビームスプリッタ１４を透過する際にその光に発生する収差を低減させるような収差とされていること。【選択図】図１
2007188608.tif 000002
【特許請求の範囲】
【請求項１】
コヒーレントな光を出射する第１の光源と、
この第１の光源から出射された光を透過させるビームスプリッタと、
このビームスプリッタを透過した後に光学的情報記録媒体によって反射された光を受光する受光素子と、
前記第１の光源と前記ビームスプリッタとの間の光路上に配設され、前記第１の光源から出射された光に収差を発生させる１つの収差発生光学面と、この収差発生光学面に対向する対向光学面とを有する光学素子と
を少なくとも備え、
前記収差発生光学面および前記対向光学面が、前記第１の光源から出射された光の中心である光線光軸との交点における前記光線光軸とのなす角度が９０°となるような形状に形成され、
前記収差発生光学面によって発生する収差が、前記第１の光源から出射された光が前記ビームスプリッタを透過する際に前記第１の光源から出射された光に発生する収差を低減させるような収差とされていること
を特徴とする光ピックアップ装置。
【請求項２】
前記収差発生光学面が、次の（１）の条件式、
ｚ＝ａｘ２＋ｂｙ２＋ｃｘ３＋ｄｘ２ｙ＋ｅｘｙ２＋ｆｙ３      （１）
但し、
ｚ：前記収差発生光学面と前記光線光軸との交点を原点とした前記収差発生光学面上の任意の点の前記光線光軸に平行なｚ軸方向の座標
ｘ：前記任意の点の前記ｚ軸方向に直交するｘ軸方向の座標
ｙ：前記任意の点の前記ｚ軸方向および前記ｘ軸方向に直交するｙ軸方向の座標
ａ〜ｆ：任意の実数（但し、ａ≠ｂかつｃ〜ｆの少なくとも１つが０ではない）
を満足することを特徴とする請求項１に記載の光ピックアップ装置。
【請求項３】
前記収差発生光学面によって発生する収差が、前記第１の光源から出射された光が前記ビームスプリッタを透過する際に前記第１の光源から出射された光に発生する収差を相殺させるような収差とされていること
を特徴とする請求項１または２に記載の光ピックアップ装置。
【請求項４】
前記第１の光源から出射された光が前記ビームスプリッタを透過する際に前記第１の光源から出射された光に発生する収差が、コマ収差および非点収差の少なくとも一方を含む収差とされていること
を特徴とする請求項１〜３のいずれか１項に記載の光ピックアップ装置。
【請求項５】
前記第１の光源が出射するコヒーレントな光と波長が異なるコヒーレントな光を出射する少なくとも１つの他の光源を備えたことを特徴とする請求項１〜４のいずれか１項に記載の光ピックアップ装置。
【請求項６】
コヒーレントな光を出射する第１の光源と、この第１の光源から出射された光を透過させるビームスプリッタと、このビームスプリッタを透過した後に光学的情報記録媒体によって反射された光を受光する受光素子とを少なくとも備えた光ピックアップ装置における前記第１の光源と前記ビームスプリッタとの間の光路上に配設される光学素子であって、
前記第１の光源から出射された光に収差を発生させる１つの収差発生光学面と、この収差発生光学面に対向する対向光学面とを有し、前記収差発生光学面および前記対向光学面が、前記第１の光源から出射された光の中心である光線光軸との交点における前記光線光軸とのなす角度が９０°となるような形状に形成され、前記収差発生光学面によって発生する収差が、前記第１の光源から出射された光が前記ビームスプリッタを透過する際に前記第１の光源から出射された光に発生する収差を低減させるような収差とされていること
を特徴とする光学素子。
【請求項７】
前記収差発生光学面が、次の（１）の条件式、
ｚ＝ａｘ２＋ｂｙ２＋ｃｘ３＋ｄｘ２ｙ＋ｅｘｙ２＋ｆｙ３      （１）
但し、
ｚ：前記収差発生光学面と前記光線光軸との交点を原点とした前記収差発生光学面上の任意の点の前記光線光軸に平行なｚ軸方向の座標
ｘ：前記任意の点の前記ｚ軸方向に直交するｘ軸方向の座標
ｙ：前記任意の点の前記ｚ軸方向および前記ｘ軸方向に直交するｙ軸方向の座標
ａ〜ｆ：任意の実数（但し、ａ≠ｂかつｃ〜ｆの少なくとも１つが０ではない）
を満足することを特徴とする請求項６に記載の光学素子。
【請求項８】
前記収差発生光学面によって発生する収差が、前記第１の光源から出射された光が前記ビームスプリッタを透過する際に前記第１の光源から出射された光に発生する収差を相殺させるような収差とされていること
を特徴とする請求項６または７に記載の光学素子。
【請求項９】
前記第１の光源から出射された光が前記ビームスプリッタを透過する際に前記第１の光源から出射された光に発生する収差が、コマ収差および非点収差の少なくとも一方を含む収差とされていること
を特徴とする請求項６〜８のいずれか１項に記載の光学素子。
【発明の詳細な説明】
【技術分野】
【０００１】
本発明は、光ピックアップ装置およびこれに用いる光学素子に係り、特に、光源から出射された光に発生する収差を低減させるのに好適な光ピックアップ装置およびこれに用いる光学素子に関する。
【背景技術】
【０００２】
従来から、光ディスク等の光学的情報記録媒体への光情報の書き込み（以下、記録と称する）および光学的情報記録媒体に記録されている光情報の読み出し（以下、再生と称する）の少なくとも一方を行う光ピックアップ装置では、ＤＶＤおよびＣＤ等の複数の種類の光ディスクを搭載することが可能とされていた。
【０００３】
そして、複数の種類の光ディスクに対して、各光ディスクに対応する波長を有するコヒーレントな光（レーザ光）の光スポットを照射することで、各光ディスクへの記録および各光ディスクの再生の少なくとも一方を行うことが可能とされていた。
【０００４】
また、このような複数の種類の光ディスクに対応するために、各光ディスクに対応する波長を有するコヒーレントな光をそれぞれ出射する複数の光源と、各光源から出射された光を透過または反射させて光ディスクに導くビームスプリッタとを搭載する場合があった。
【０００５】
ここで、この種の光ピックアップ装置では、１つの光源から出射された光がビームスプリッタを透過する際に、その光に収差（主としてコマ収差および非点収差）が発生してしまう場合があり、これにより、光ディスクへの記録の精度または光ディスクの再生の精度を悪化させることが問題とされていた。
【０００６】
そこで、このような収差を低減させることを目的として、これまでにも、図３に示すように、光源とビームスプリッタとの間の光路上に、光源側およびビームスプリッタ側の双方のレンズ面３０、３１が、光源から出射された光の中心である光線光軸３２に対して傾きを有する光学素子３３（図３においてはカップリングレンズ）を配置することが提案されていた。
【０００７】
この光学素子３３は、光源から出射された光に収差を積極的に発生させ、この発生させた収差によって当該光がビームスプリッタを透過する際に発生する収差を相殺させることで、結果的に、光源から出射された光がビームスプリッタを透過する際に発生する収差を低減させるようになっていた。
【０００８】
【特許文献１】特開２００５−１００５１９号公報
【発明の開示】
【発明が解決しようとする課題】
【０００９】
しかしながら、前述したような２つのレンズ面３０、３１の少なくとも一方が光線光軸３２に対して傾きを有する光学素子３３は、図４に示すように、レンズ面３０、３１の径方向における中心となる外径中心Ｓ１と、レンズ面３０、３１の面形状の中心（換言すれば、設計上の中心）となる形状中心Ｓ２（例えば、球面レンズの場合には面頂点）とが互いにずれている。
【００１０】
このため、金型の寸法精度等の光学素子３３の製造時の精度如何によっては、図５に示すように、レンズ面３０、３１の形状中心Ｓ２’が、設計時に狙った形状中心Ｓ２から図５のθ方向にずれる現象が生じることがあった。この現象は、θ偏芯と呼称されている。
【００１１】
このθ偏芯により、光学素子３３からの光の出射角度および収差の発生量が設計時の狙いからずれることによって、結局は、光源から出射された光がビームスプリッタを透過する際に発生する収差を十分に低減させることができないといった問題が生じていた。
【００１２】
また、光学素子３３を光ピックアップ装置の本体に設置する際には、光学素子３３を光軸回りに回転させながら、収差の発生量が最適となる位置で光学素子３３を設置すべきところ、レンズ面３０、３１が光線光軸３２に対して傾いている場合には、最適な位置を決め難いため、光学素子３３の設置が困難になるといった問題も生じていた。
【００１３】
そこで、本発明は、このような問題点に鑑みなされたものであり、光源から出射された光がビームスプリッタを透過する際に光源から出射された光に発生する収差を有効に低減させることができるとともに、光学素子を光ピックアップ装置の本体に簡便かつ適切に設置することができ、ひいては、光学的情報記録媒体への記録および光学的情報記録媒体の再生の少なくとも一方を高精度に行うことができるとともに、光ピックアップ装置の製造効率を向上させることができる光ピックアップ装置およびこれに用いる光学素子を提供することを目的とするものである。
【課題を解決するための手段】
【００１４】
前述した目的を達成するため、本発明の請求項１に係る光ピックアップ装置の特徴は、コヒーレントな光を出射する第１の光源と、この第１の光源から出射された光を透過させるビームスプリッタと、このビームスプリッタを透過した後に光学的情報記録媒体によって反射された光を受光する受光素子と、前記第１の光源と前記ビームスプリッタとの間の光路上に配設され、前記第１の光源から出射された光に収差を発生させる１つの収差発生光学面と、この収差発生光学面に対向する対向光学面とを有する光学素子とを少なくとも備え、前記収差発生光学面および前記対向光学面が、前記第１の光源から出射された光の中心である光線光軸との交点における前記光線光軸とのなす角度が９０°となるような形状に形成され、前記収差発生光学面によって発生する収差が、前記第１の光源から出射された光が前記ビームスプリッタを透過する際に前記第１の光源から出射された光に発生する収差を低減させるような収差とされている点にある。
【００１５】
そして、この請求項１に係る発明によれば、光学素子の収差発生光学面および対向光学面を光線光軸に対して傾きを有しない形状に形成したうえで、収差発生光学面によって発生した収差により、第１の光源から出射された光がビームスプリッタを透過する際に第１の光源から出射された光に発生する収差を確実に低減させることが可能となる。さらに、そのような収差発生光学面および対向光学面の形状により、光学素子を光ピックアップ装置の本体に簡便かつ適切に設置することが可能となる。
【００１６】
また、請求項２に係る光ピックアップ装置の特徴は、請求項１において、前記収差発生光学面が、次の（１）の条件式、
ｚ＝ａｘ２＋ｂｙ２＋ｃｘ３＋ｄｘ２ｙ＋ｅｘｙ２＋ｆｙ３      （１）
但し、
ｚ：前記収差発生光学面と前記光線光軸との交点を原点とした前記収差発生光学面上の任意の点の前記光線光軸に平行なｚ軸方向の座標
ｘ：前記任意の点の前記ｚ軸方向に直交するｘ軸方向の座標
ｙ：前記任意の点の前記ｚ軸方向および前記ｘ軸方向に直交するｙ軸方向の座標
ａ〜ｆ：任意の実数（但し、ａ≠ｂかつｃ〜ｆの少なくとも１つが０ではない）
を満足する点にある。
【００１７】
そして、この請求項２に係る発明によれば、更に、光学素子の収差発生光学面が（１）の条件式を満足するようにすることによって、第１の光源から出射された光がビームスプリッタを透過する際に第１の光源から出射された光に発生する収差をさらに低減させることが可能となる。
【００１８】
さらに、請求項３に係る光ピックアップ装置の特徴は、請求項１または２において、前記収差発生光学面によって発生する収差が、前記第１の光源から出射された光が前記ビームスプリッタを透過する際に前記第１の光源から出射された光に発生する収差を相殺させるような収差とされている点にある。
【００１９】
そして、この請求項３に係る発明によれば、更に、光学素子の収差発生光学面によって、第１の光源から出射された光がビームスプリッタを透過する際に第１の光源から出射された光に発生する収差をさらに有効に低減させることが可能となる。
【００２０】
さらにまた、請求項４に係る光ピックアップ装置の特徴は、請求項１〜３のいずれか１項において、前記第１の光源から出射された光が前記ビームスプリッタを透過する際に前記第１の光源から出射された光に発生する収差が、コマ収差および非点収差の少なくとも一方を含む収差とされている点にある。
【００２１】
そして、この請求項４に係る発明によれば、更に、光学素子の収差発生光学面によって、コマ収差および非点収差の少なくとも一方を確実に低減させることが可能となる。
【００２２】
また、請求項５に係る光ピックアップ装置の特徴は、請求項１〜４のいずれか１項において、前記第１の光源が出射するコヒーレントな光と波長が異なるコヒーレントな光を出射する少なくとも１つの他の光源を備えた点にある。
【００２３】
そして、この請求項５に係る発明によれば、第１の光源の他の光源を備えたことにより、互いに異なる波長のコヒーレントな光を用いた記録および再生の少なくとも一方が行われる複数の光学的情報記録媒体に対応することが可能となる。
【００２４】
さらに、請求項６に係る光学素子の特徴は、コヒーレントな光を出射する第１の光源と、この第１の光源から出射された光を透過させるビームスプリッタと、このビームスプリッタを透過した後に光学的情報記録媒体によって反射された光を受光する受光素子とを少なくとも備えた光ピックアップ装置における前記第１の光源と前記ビームスプリッタとの間の光路上に配設される光学素子であって、前記第１の光源から出射された光に収差を発生させる１つの収差発生光学面と、この収差発生光学面に対向する対向光学面とを有し、前記収差発生光学面および前記対向光学面が、前記第１の光源から出射された光の中心である光線光軸との交点における前記光線光軸とのなす角度が９０°となるような形状に形成され、前記収差発生光学面によって発生する収差が、前記第１の光源から出射された光が前記ビームスプリッタを透過する際に前記第１の光源から出射された光に発生する収差を低減させるような収差とされている点にある。
【００２５】
そして、この請求項６に係る発明によれば、収差発生光学面および対向光学面を光線光軸に対して傾きを有しない形状に形成したうえで、収差発生光学面によって発生した収差により、第１の光源から出射された光がビームスプリッタを透過する際に第１の光源から出射された光に発生する収差を確実に低減させることが可能となる。さらに、そのような収差発生光学面および対向光学面の形状により、光学素子を光ピックアップ装置の本体に簡便かつ適切に設置することが可能となる。
【００２６】
さらにまた、請求項７に係る光学素子の特徴は、請求項６において、前記収差発生光学面が、次の（１）の条件式、
ｚ＝ａｘ２＋ｂｙ２＋ｃｘ３＋ｄｘ２ｙ＋ｅｘｙ２＋ｆｙ３      （１）
但し、
ｚ：前記収差発生光学面と前記光線光軸との交点を原点とした前記収差発生光学面上の任意の点の前記光線光軸に平行なｚ軸方向の座標
ｘ：前記任意の点の前記ｚ軸方向に直交するｘ軸方向の座標
ｙ：前記任意の点の前記ｚ軸方向および前記ｘ軸方向に直交するｙ軸方向の座標
ａ〜ｆ：任意の実数（但し、ａ≠ｂかつｃ〜ｆの少なくとも１つが０ではない）
を満足する点にある。
【００２７】
そして、この請求項７に係る発明によれば、更に、収差発生光学面が（１）の条件式を満足するようにすることによって、第１の光源から出射された光がビームスプリッタを透過する際に第１の光源から出射された光に発生する収差をさらに低減させることが可能となる。
【００２８】
また、請求項８に係る光学素子の特徴は、請求項６または７において、前記収差発生光学面によって発生する収差が、前記第１の光源から出射された光が前記ビームスプリッタを透過する際に前記第１の光源から出射された光に発生する収差を相殺させるような収差とされている点にある。
【００２９】
そして、この請求項８に係る発明によれば、更に、収差発生光学面によって、第１の光源から出射された光がビームスプリッタを透過する際に第１の光源から出射された光に発生する収差をさらに有効に低減させることが可能となる。
【００３０】
さらに、請求項９に係る光学素子の特徴は、請求項６〜８のいずれか１項において、前記第１の光源から出射された光が前記ビームスプリッタを透過する際に第１の光源から出射された光に発生する収差が、コマ収差および非点収差の少なくとも一方を含む収差とされている点にある。
【００３１】
そして、この請求項８に係る発明によれば、更に、収差発生光学面によって、コマ収差および非点収差の少なくとも一方を確実に低減させることが可能となる。
【発明の効果】
【００３２】
本発明に係る光ピックアップ装置およびこれに用いる光学素子によれば、光源から出射された光がビームスプリッタを透過する際に光源から出射された光に発生する収差を有効に低減させることができるとともに、光学素子を光ピックアップ装置の本体に簡便かつ適切に設置することができ、ひいては、光学的情報記録媒体への記録および光学的情報記録媒体の再生の少なくとも一方を高精度に行うことができるとともに、光ピックアップ装置の製造効率を向上させることができる。
【００３３】
また、本発明によれば、収差発生光学面の形状を（１）式の３次関数で規定したことにより、収差をさらに効果的に低減させることができる。
【００３４】
さらに、本発明によれば、収差として、特に、コマ収差および非点収差の少なくとも一方を有効に低減させることができる。
【発明を実施するための最良の形態】
【００３５】
以下、本発明に係る光ピックアップ装置およびこれに用いる光学素子の実施形態について、図１および図２を参照して説明する。
【００３６】
図１に示すように、本実施形態における光学素子１は、光学機能部２と、この光学機能部２を囲むホルダ３とによって構成されている。
【００３７】
光学機能部２とホルダ３とは、樹脂材料の射出成形によって一体的に形成するようにしてもよい。
【００３８】
光学機能部２におけるビームスプリッタ側（図１における右側）の面には、第１の光源から出射された光に収差を発生させる収差発生光学面としての第２レンズ面６が形成されている。なお、図示はしないが、第１の光源から出射された光は、光ピックアップ装置のビームスプリッタによって光学的情報記録媒体側に透過されることになる。
【００３９】
一方、光学機能部２における第１の光源側（図１における左側）の面には、収差発生光学面に対向する対向光学面としての第１レンズ面５が形成されている。
【００４０】
本実施形態において、第１レンズ面５は、第１の光源から出射された光の中心である光線光軸７との交点Ｐ１における光線光軸７とのなす角度が９０°となるような形状に形成されている。
【００４１】
さらに、本実施形態において、第２レンズ面６は、光線光軸７との交点Ｐ２における光線光軸７とのなす角度が９０°となるような形状に形成されている。
【００４２】
すなわち、第１レンズ面５および第２レンズ面６は、光線光軸７に対して傾きを有しない形状に形成されている。
【００４３】
換言すれば、第１レンズ面５および第２レンズ面６は、それぞれ、前述した外径中心と形状中心とが互いに一致した形状に形成されている。
【００４４】
これにより、光学素子１の製造時において前述したθ偏芯の影響が無くなり、第２レンズ面６が設計時に狙った通りの収差を適正に発生させることができ、光学素子１からの光の出射角度を設計時の狙い通りの角度にすることができることになる。
【００４５】
さらに、本実施形態において、第２レンズ面６は、次の（１）に示す条件式を満足する。
ｚ＝ａｘ２＋ｂｙ２＋ｃｘ３＋ｄｘ２ｙ＋ｅｘｙ２＋ｆｙ３      （１）
但し、（１）式におけるｚは、第２レンズ面６と光線光軸７との交点Ｐ２を原点とした第２レンズ面６上の任意の点の光線光軸７に平行なｚ軸方向（図１における横方向）の座標である。また、（１）式におけるｘは、第２レンズ面６と光線光軸７との交点Ｐ２を原点とした第２レンズ面６上の任意の点のｚ軸方向に直交するｘ軸方向（図１における縦方向）の座標である。さらに、（１）式におけるｙは、第２レンズ面６と光線光軸７との交点Ｐ２を原点とした第２レンズ面６上の任意の点のｚ軸方向およびｘ軸方向に直交するｙ軸方向（図１における紙面垂直方向）の座標である。さらにまた、ａ〜ｆは、任意の実数である。但し、ａとｂとは同じ値ではなく（ａ≠ｂ）、また、ｃ〜ｆの少なくとも１つは０ではない。
【００４６】
ここで、（１）式は、第２レンズ面６が、光線光軸７との交点Ｐ２における光線光軸７とのなす角度が９０°となる３次関数で規定された曲面であることを示している。
【００４７】
また、（１）式において、ａ≠ｂであることは、第２レンズ面６が、第１の光源から出射された光がビームスプリッタを透過する際に第１の光源から出射された光に発生する非点収差を相殺するために好適な非点収差を発生させることができることを示している。
【００４８】
さらに、（１）式において、ｃ〜ｆの少なくとも１つが０ではないことは、第２レンズ面６が、第１の光源から出射された光がビームスプリッタを透過する際に第１の光源から出射された光に発生するコマ収差を相殺するために好適なコマ収差を発生させることができることを示している。なお、コマ収差の相殺のためには、ｆ≠０とすることが、より好ましい。
【００４９】
さらにまた、（１）式において、ｄ≠０とすれば、第２レンズ面６が、第１の光源から出射された光がビームスプリッタを透過する際に第１の光源から出射された光に発生する波面収差を相殺するために好適な波面収差を発生させることができる。
【００５０】
このように、本実施形態においては、第１レンズ面５および第２レンズ面６を、光線光軸７に対して傾きを有しない形状に形成し、さらに、第２レンズ面６が（１）の条件式を満足するようにすることにより、第２レンズ面６によって、第１の光源から出射された光がビームスプリッタを透過する際にその光に発生する収差を相殺させるような収差を、設計時の狙い通りに発生させることが可能となる。また、光学素子１からの第１の光源から出射された光の出射角度を設計時の狙い通りの角度にすることが可能となる。
【００５１】
さらに、本実施形態においては、第１レンズ面５および第２レンズ面６が光線光軸７に対して傾きを有しない形状に形成されていることにより、光学素子１を光ピックアップ装置の本体に簡便かつ適切に設置することが可能となる。
【００５２】
このような光学素子１は、光ピックアップ装置の本体に設置されることによって、図２に示す本実施形態の光ピックアップ装置９を構成する。
【００５３】
図２に示すように、本実施形態における光ピックアップ装置９は、第１の光源としてのＣＤ用光源１０を有しており、このＣＤ用光源１０は、光学的情報記録媒体としてのＣＤ１１に対応する波長７８０ｎｍのコヒーレントな光を出射する。
【００５４】
ＣＤ用光源１０に対して光の出射側の位置には、ＣＤ側３ビーム発生用回折格子１２が配設されており、このＣＤ側３ビーム発生用回折格子１２には、ＣＤ用光源１０から出射された光が入射する。
【００５５】
そして、ＣＤ側３ビーム発生用回折格子１２は、ＣＤ用光源１０側から入射した光を分光することによって、０次光および±１次光からなる３ビーム（以下、ＣＤ往路３ビームと称する）を発生させて出射させる。
【００５６】
ＣＤ側３ビーム発生用回折格子１２に対してＣＤ往路３ビームの出射側の位置には、本実施形態における光学素子１が配設されており、この光学素子１には、ＣＤ側３ビーム発生用回折格子１２から出射されたＣＤ往路３ビームが入射する。
【００５７】
そして、光学素子１は、ＣＤ側３ビーム発生用回折格子１２側から入射したＣＤ往路３ビームに、コマ収差および非点収差を含む収差を発生させ、収差が発生したＣＤ往路３ビームを出射する。この収差は、ＣＤ往路３ビームが後述する第１ハーフミラー１４を透過する際にＣＤ往路３ビームに発生する収差を相殺させるような収差とされている。
【００５８】
光学素子１に対してＣＤ往路３ビームの出射側の位置には、カップリングレンズ１５が配設されており、このカップリングレンズ１５には、光学素子１から出射されたＣＤ往路３ビームが入射する。
【００５９】
そして、カップリングレンズ１５は、光学素子１側から入射したＣＤ往路３ビームを、発散角度を変換した上で出射する。
【００６０】
カップリングレンズ１５に対してＣＤ往路３ビームの出射側の位置には、ビームスプリッタとしての第１ハーフミラー１４が配設されており、この第１ハーフミラー１４には、カップリングレンズ１５から出射されたＣＤ往路３ビームが入射する。
【００６１】
そして、第１ハーフミラー１４は、カップリングレンズ１５側から入射したＣＤ往路３ビームを透過させる。
【００６２】
ここで、従来は、ＣＤ往路３ビームが第１ハーフミラー１４を透過する際には、第１ハーフミラー１４によってＣＤ往路３ビームにコマ収差および非点収差を含む収差が発生していた。
【００６３】
しかしながら、本実施形態においては、第１ハーフミラー１４に入射するＣＤ往路３ビームが、光学素子１によって発生した収差を有しているため、この収差によって、ＣＤ往路３ビームが第１ハーフミラー１４を透過する際に本来発生する収差を相殺することができる。
【００６４】
したがって、第１ハーフミラー１４を透過した後のＣＤ往路３ビームは、収差が有効に低減されたものとなっている。
【００６５】
第１ハーフミラー１４に対してＣＤ往路３ビームの透過側の位置には、立ち上げミラー１６が配設されており、この立ち上げミラー１６には、第１ハーフミラー１４を透過したＣＤ往路３ビームが入射する。
【００６６】
そして、立ち上げミラー１６は、第１ハーフミラー１４側から入射したＣＤ往路３ビームを全反射させる。
【００６７】
立ち上げミラー１６に対してＣＤ往路３ビームの反射側の位置には、コリメータレンズ１７が配設されており、このコリメータレンズ１７には、立ち上げミラー１６によって全反射されたＣＤ往路３ビームが入射する。
【００６８】
そして、コリメータレンズ１７は、立ち上げミラー１６側から入射したＣＤ往路３ビームを平行光に変換して出射させる。
【００６９】
コリメータレンズ１７に対してＣＤ往路３ビームの出射側の位置には、１／４波長板１８が配設されており、この１／４波長板１８には、コリメータレンズ１７から出射されたＣＤ往路３ビームが入射する。
【００７０】
そして、１／４波長板１８は、コリメータレンズ１７側から入射したＣＤ往路３ビームを直線偏光から円偏光に変換して出射する。
【００７１】
１／４波長板１８に対してＣＤ往路３ビームの出射側の位置には、対物レンズ１９が配設されており、この対物レンズ１９には、１／４波長板１８から出射されたＣＤ往路３ビームが入射する。
【００７２】
そして、対物レンズ１９は、１／４波長板１８側から入射したＣＤ往路３ビームを収束光に変換して出射させる。
【００７３】
対物レンズ１９に対してＣＤ往路３ビームの出射側の位置には、ＣＤ１１が配設されており、このＣＤ１１の記録面上に、対物レンズ１９から出射されたＣＤ往路３ビームが、３つの光スポットとして照射される。
【００７４】
このとき、ＣＤ往路３ビームは、光学素子１によって収差が低減されているため、ＣＤ１１の記録面上に、ＣＤ往路３ビームの光スポットを適正に照射させることができる。
【００７５】
ＣＤ１１の記録面上に照射されたＣＤ往路３ビームは、ＣＤ１１の記録面によって反射された後に、ＣＤ復路３ビームとして往路と逆方向に進行する。
【００７６】
ＣＤ１１の記録面を出たＣＤ復路３ビームは、対物レンズ１９によって平行光に変換され、次いで、１／４波長板１８によって往路とは電場成分の振動方向が９０°異なる直線偏光に変換され、次いで、立ち上げミラー１６によって第１ハーフミラー１４側に全反射されて第１ハーフミラー１４に入射する。
【００７７】
第１ハーフミラー１４に入射したＣＤ復路３ビームは、第１ハーフミラー１４によって反射される。
【００７８】
第１ハーフミラー１４に対してＣＤ復路３ビームの反射側の位置には、第２ハーフミラー２１が配設されており、この第２ハーフミラー２１には、第１ハーフミラー１４によって反射されたＣＤ復路３ビームが入射する。
【００７９】
そして、第２ハーフミラー２１は、第１ハーフミラー１４側から入射したＣＤ復路３ビームをそのまま透過させる。
【００８０】
第２ハーフミラー２１に対してＣＤ復路３ビームの透過側の位置には、センサレンズ２２が配設されており、このセンサレンズ２２には、第２ハーフミラー２１を透過したＣＤ復路３ビームが入射する。
【００８１】
そして、センサレンズ２２は、第２ハーフミラー２１側から入射したＣＤ復路３ビームを、非点収差を発生させ、かつ、収束させた上で出射させる。
【００８２】
センサレンズ２２に対してＣＤ復路３ビームの出射側の位置には、ＰＤＩＣ等の受光素子２３が配設されており、この受光素子２３には、センサレンズ２２から出射されたＣＤ復路３ビームが入射する。
【００８３】
受光素子２３に入射したＣＤ復路３ビームは、３つの光スポットとして受光素子２３の３つの受光面（図示せず）にそれぞれ受光される。そして、受光面によって受光されたＣＤ復路３ビームは、トラッキングサーボをともなうＣＤ１１への記録およびＣＤ１１の再生の少なくとも一方に用いられる。
【００８４】
このとき、ＣＤ復路３ビームは、ＣＤ往路３ビームがＣＤ１１の記録面上に適正に照射されたことにともなって、受光素子２３の受光面によって適正に受光されているため、ＣＤ１１への記録およびＣＤ１１の再生の少なくとも一方を高精度に行うことができる。
【００８５】
光ピックアップ装置９は、ＤＶＤ用光源２５を有しており、このＤＶＤ用光源２５は、光学的情報記録媒体としてのＤＶＤ２６に対応する波長６６０ｎｍのコヒーレントな光を出射する。
【００８６】
ＤＶＤ用光源２５に対して光の出射側の位置には、ＤＶＤ側３ビーム発生用回折格子２７が配設されており、このＤＶＤ側３ビーム発生用回折格子２７には、ＤＶＤ用光源２５から出射された光が入射する。
【００８７】
そして、ＤＶＤ側３ビーム発生用回折格子２７は、ＤＶＤ用光源２５側から入射した光を分光することによって、０次光および±１次光からなる３ビーム（以下、ＤＶＤ往路３ビームと称する）を発生させて出射させる。
【００８８】
ＤＶＤ側３ビーム発生用回折格子２７に対してＤＶＤ往路３ビームの出射側の位置には、第２ハーフミラー２１が配設されており、この第２ハーフミラー２１には、ＤＶＤ側３ビーム発生用回折格子２７から出射されたＤＶＤ往路３ビームが入射する。
【００８９】
そして、第２ハーフミラー２１は、ＤＶＤ側３ビーム発生用回折格子２７側から入射したＤＶＤ往路３ビームを第１ハーフミラー１４側に反射させる。
【００９０】
第２ハーフミラー２１によって反射されたＤＶＤ往路３ビームは、第１ハーフミラー１４によって立ち上げミラー１６側に反射され、次いで、立ち上げミラー１６によってコリメータレンズ１７側に全反射され、次いで、コリメータレンズ１７によって平行光に変換されて１／４波長板１８側に出射される。さらに、１／４波長板１８側に出射されたＤＶＤ往路３ビームは、１／４波長板１８によって円偏光に変換されて対物レンズ１９側に出射され、次いで、対物レンズ１９によって収束光に変換されてＤＶＤ２６側に出射され、ＤＶＤ２６の記録面上に、３つの光スポットとして照射される。
【００９１】
ＤＶＤ２６の記録面上に照射されたＤＶＤ往路３ビームは、ＤＶＤ２６の記録面によって反射された後に、ＤＶＤ復路３ビームとして往路と逆方向に進行する。
【００９２】
ＤＶＤ２６の記録面を出たＤＶＤ復路３ビームは、対物レンズ１９によって平行光に変換され、次いで、１／４波長板１８によって往路とは電場成分の振動方向が９０°異なる直線偏光に変換され、次いで、立ち上げミラー１６によって第１ハーフミラー１４側に全反射されて第１ハーフミラー１４に入射する。
【００９３】
第１ハーフミラー１４に入射したＤＶＤ復路３ビームは、第１ハーフミラー１４によって第２ハーフミラー２１側に反射され、次いで、第２ハーフミラー２１を透過してセンサレンズ２２に入射し、次いで、センサレンズ２２によって非点収差を付与されて収束された上で受光素子２３側に出射される。
【００９４】
次いで、受光素子２３側に出射されたＤＶＤ復路３ビームは、３つの光スポットとして受光素子２３の３つの受光面にそれぞれ受光される。そして、受光面によって受光されたＤＶＤ復路３ビームは、トラッキングサーボをともなうＤＶＤ２６への記録およびＤＶＤ２６の再生の少なくとも一方に用いられる。
【００９５】
以上述べたように、本実施形態によれば、光学素子１によって、ＣＤ用光源１０から出射されたＣＤ往路３ビームが第１ハーフミラー１４を透過する際にＣＤ往路３ビームに発生する収差を有効に低減させることが可能となる。
【００９６】
また、光学素子1を光ピックアップ装置９の本体に簡便かつ適切に設置することが可能となる。
【００９７】
この結果、ＣＤ１１への記録およびＣＤ１１の再生の少なくとも一方を高精度に行うことができるとともに、光ピックアップ装置９の製造効率を向上させることができる。
【００９８】
なお、本発明は、前述した実施の形態に限定されるものではなく、必要に応じて種々の変更が可能である。
【００９９】
例えば、第１の光源をＤＶＤ用光源とし、他の光源を、ＨＤ−ＤＶＤ用の光源またはＢｌｕ−ｒａｙ用の光源としてもよい。
【図面の簡単な説明】
【０１００】
【図１】本発明に係る光学素子の実施形態を示す断面図
【図２】本発明に係る光ピックアップ装置の実施形態を示す構成図
【図３】従来の光学素子の一例を示す断面図
【図４】従来の光学素子の構成を示す正面図
【図５】従来の光学素子の問題点を示す説明図
【符号の説明】
【０１０１】
１  光学素子
５  第１レンズ面
６  第２レンズ面
７  光線光軸
９  光ピックアップ装置
１０  ＣＤ用光源
１１  ＣＤ
２３  受光素子
【図１】
2007188608.tif 000003
【図２】
2007188608.tif 000004
【図３】
2007188608.tif 000005
【図４】
2007188608.tif 000006
【図５】
2007188608.tif 000007